(57)【要約】      （修正有）【課題】ストッキングやレギンスを着用しない場合、いわゆる生足の場合であっても、股擦れを防止できるガーターを提供する。【解決手段】伸縮性の素材からなり、使用者の太股に着用可能な大きさを有するガーター本体１１０と、ガーター本体の裏面全周囲にわたって形成されている摩擦層１２０と、からなるガーター１００であって、摩擦層は、ガーター本体がずり落ちることを防止するシリコン等の摩擦力を有する素材からなる。【選択図】図２
0003188362.tif 000002
【実用新案登録請求の範囲】
【請求項１】
少なくとも使用者の内股に接触する領域が伸縮性の素材からなり、前記使用者の太股に着用可能なガーター本体と、
前記ガーター本体の裏面において当該ガーター本体の全周囲にわたって形成されている少なくとも一つの摩擦層と、
からなるガーターであって、
前記摩擦層は、前記ガーター本体がずり落ちることを防止する摩擦力を有する素材からなるものであるガーター。
【請求項２】
前記摩擦層は、前記ガーター本体の上下方向における全長のうち、前記ガーター本体の上縁を含む一部の長さにおいて形成されていることを特徴とする請求項１に記載のガーター。
【請求項３】
前記ガーター本体の裏面には複数の摩擦層が形成されており、各摩擦層の摩擦力は相互に異なるものであることを特徴とする請求項１または２に記載のガーター。
【請求項４】
前記ガーター本体のうち、前記使用者の内股に接触する領域は他の領域より大きい強度を有することを特徴とする請求項１乃至３の何れか一項に記載のガーター。
【請求項５】
前記使用者の内股に対応する前記領域は複数層の構造を有することを特徴とする請求項４に記載のガーター。
【請求項６】
前記ガーター本体には少なくとも一つの孔が設けられていることを特徴とする請求項１乃至５の何れか一項に記載のガーター。
【請求項７】
前記摩擦層は透明色であることを特徴とする請求項１乃至６の何れか一項に記載のガーター。
【請求項８】
前記ガーター本体は透明色であり、前記摩擦層は有色であることを特徴とする請求項１乃至６の何れか一項に記載のガーター。
【請求項９】
前記摩擦層はシリコンからなるものであることを特徴とする請求項１乃至８の何れか一項に記載のガーター。
【考案の詳細な説明】
【技術分野】
【０００１】
本考案はガーターに関する。
【背景技術】
【０００２】
春夏などの寒くない時期においては、ストッキングを着用せずにスカートを履く女性が増加する（いわゆる「生足」）。
【０００３】
ストッキングを着用しないと、左右の足、特に、左右の太股の地肌が相互に擦れ合って、いわゆる股擦れを起こすことがある。
【考案の開示】
【考案が解決しようとする課題】
【０００４】
ストッキングやレギンスなどを着用すれば、そのような股擦れは防止することができるが、生足の場合には、左右の太股の地肌が擦れ合わないように注意して歩く他に防止策はなく、これまでは股擦れを防止するための適当な道具は提案されていなかった。
【０００５】
本考案はこのような問題点に鑑みてなされたものであり、ストッキングやレギンスを着用しない場合であっても、股擦れを防止することが可能な道具としてのガーターを提供することを目的とする。
【課題を解決するための手段】
【０００６】
上記の目的を達成するため、本考案は、少なくとも使用者の内股に接触する領域が伸縮性の素材からなり、前記使用者の太股に着用可能なガーター本体と、前記ガーター本体の裏面において当該ガーター本体の全周囲にわたって形成されている少なくとも一つの摩擦層と、からなるガーターであって、前記摩擦層は、前記ガーター本体がずり落ちることを防止する摩擦力を有する素材からなるものであるガーターを提供する。
【０００７】
前記摩擦層は、前記ガーター本体の上下方向における全長のうち、前記ガーター本体の上縁を含む一部の長さにおいて形成されていることが好ましい。
【０００８】
前記ガーター本体の裏面には複数の摩擦層が形成されており、各摩擦層の摩擦力は相互に異なるものであることが好ましい。
【０００９】
前記ガーター本体のうち、前記使用者の内股に接触する領域は他の領域より大きい強度を有することが好ましい。例えば、前記使用者の内股に対応する領域は複数層の構造を有するものとすることにより、前記使用者の内股に接触する領域は他の領域より大きい強度を有するものとすることができる。
【００１０】
前記ガーター本体には少なくとも一つの孔が設けられていることが好ましい。
【００１１】
前記摩擦層は、例えば、透明色とすることができる。
【００１２】
例えば、前記ガーター本体は透明色であり、前記摩擦層は有色であるとすることができる。
【００１３】
前記摩擦層は、例えば、シリコンからなるものとすることができる。
【考案の効果】
【００１４】
使用者の左右の太股の双方または一方に本考案に係るガーターを着用することによって、太股の地肌が相互に擦れ合うことを防止することができるので、使用者が生足のときであっても股擦れを防止することができる。
【００１５】
さらに、摩擦層がガーター本体の裏面において当該ガーター本体の全周囲にわたって形成されているため、本ガーターの使用中に、ガーター本体がずり落ちることを防止することができる。
【図面の簡単な説明】
【００１６】
【図１】本考案の第一の実施形態に係るガーターの斜視図である。
【図２】図１に示したガーターの使用状態を示す概略的な平面図である。
【図３】本考案の第二の実施形態に係るガーターの斜視図である。
【図４】本考案の第三の実施形態に係るガーターの斜視図である。
【図５】本考案の第四の実施形態に係るガーターの斜視図である。
【図６】本考案の第五の実施形態に係るガーターの斜視図である。
【考案を実施するための形態】
【００１７】
（第一の実施形態）
図１は本考案の第一の実施形態に係るガーター１００の斜視図である。
【００１８】
図１に示すように、本実施形態に係るガーター１００は、ガーター本体１１０と、摩擦層１２０と、からなる。
【００１９】
ガーター本体１１０は円筒形に近い形状をなしており、伸縮性が大きく、地肌に触れても不快感を与えない素材でつくられている。
【００２０】
ガーター本体１１０は使用者の太股に着用可能な大きさを有しており、素材の伸縮性によって、使用者の太股に密着した状態で着用される。
【００２１】
ガーター本体１１０の裏面にはガーター本体１１０の全周囲にわたって摩擦層１２０が形成されている。摩擦層１２０は摩擦力が大きい素材からなり、使用者がガーター１００を着用した際にガーター１００がずり落ちることを防止する機能を有している。さらに、摩擦層１２０を形成する素材は地肌に触れても不快感を与えない素材である。摩擦層１２０は、例えば、シリコンでつくられる。
【００２２】
ガーター本体１１０の全長（上下方向における長さ）をＬとすると、摩擦層１２０はガーター本体１１０の上縁からＬ／４乃至Ｌ／２の長さＭを有するように形成されている。
【００２３】
ガーター１００のサイズの一例を以下に示す。
【００２４】
ガーター本体１１０の全長Ｌ：１５ｃｍ
摩擦層１２０の長さＭ：４．５ｃｍ
摩擦層１２０の厚さ：０．３−０．８ｃｍ
ガーター本体１１０の直径：１５−２０ｃｍ
図２はガーター１００の使用状態を示す概略的な平面図である。
【００２５】
図２に示すように、使用者２００の左右の太股にガーター１００を着用する。ガーター１００を着用することによって、太股の地肌が相互に擦れ合うことを防止することができるので、生足のときであっても股擦れを防止することができる。
【００２６】
なお、ガーター１００は左右のどちらか一方の太股にのみ着用することも可能である。
【００２７】
本実施形態に係るガーター１００は上記の構造に限定されるものではなく、種々の改変が可能である。
【００２８】
例えば、摩擦層１２０はガーター本体１１０の全長Ｌに対してＬ／４乃至Ｌ／２の長さに設定されているが、ガーター本体１１０の全長Ｌにわたって形成することも可能である。
【００２９】
また、ガーター本体１１０を構成する素材は外側から見えるものであるので、レースや模様付きの生地などファッション性の高いものを選択することができる。例えば、ガーター本体１１０の素材としてレースを使用する場合、裏面側の摩擦層１２０もレースの隙間を通して見えることになるので、このような場合には、摩擦層１２０は透明色の素材でつくることが好ましい。
【００３０】
また、ガーター本体１１０を透明色の素材でつくる場合には、摩擦層１２０が外側から見えることになるため、摩擦層１２０を有色の素材あるいは表面に模様が形成されている素材でつくることができる。
【００３１】
本実施形態に係るガーター１００における摩擦層１２０は、例えば、シリコンでつくられているが、摩擦層１２０を構成する素材はシリコンに限定されるものではなく、ガーター１００がずり落ちないようにガーター１００の重量を支持し得る摩擦力を発揮するものである限りは、任意の素材を選択することができる。
【００３２】
本実施形態に係るガーター１００における摩擦層１２０は摩擦力が大きい素材からつくられているが、例えば、粘着力が大きい素材を選択することもできる。
【００３３】
（第二の実施形態）
図３は本考案の第二の実施形態に係るガーター２００の斜視図である。
【００３４】
図１に示した第一の実施形態に係るガーター本体１１０はその全体が伸縮性を有する素材でつくられているのに対して、本実施形態に係るガーター２００のガーター本体１１０はその一部のみが伸縮性を有する素材でつくられている。
【００３５】
具体的には、使用者がガーター２００を太股に着用したときに、使用者の内股に接触する領域２１０のみが伸縮性を有する素材からなり、その他の領域２２０は非伸縮性の素材からなる。
【００３６】
例えば、図３に示すように、ガーター本体１１０の円周角が９０度の範囲内の領域２１０（４等分された領域のうちの一つの領域）は伸縮性を有する素材からなり、残りの円周角が２７０度の領域２２０は伸縮性を有しない素材からなる。
【００３７】
このように、ガーター２００を構成するガーター本体１１０の一部のみを伸縮性を有する素材でつくることにより、ガーター本体１１０の全部を伸縮性を有する素材でつくることと比較して、必要な伸縮性を確保しつつ、伸縮性を有する素材の使用量を減らすことができる。
【００３８】
（第三の実施形態）
図４は本考案の第三の実施形態に係るガーター３００の斜視図である。
【００３９】
第一の実施形態に係るガーター１００は１個の摩擦層１２０を有するものとして形成されているのに対して、本実施形態に係るガーター３００は２個の摩擦層を有するものとして形成されている。
【００４０】
具体的には、ガーター３００は、摩擦層１２０に加えて、第二摩擦層３１０を備えている。
【００４１】
第二摩擦層３１０はガーター本体１１０の下縁を含むように形成されている。
【００４２】
このように、複数の摩擦層１２０、３１０を形成することにより、ガーター本体１１０がずり落ちることを防止する摩擦力を高めることができるとともに、ガーター本体１１０のずり落ちを防止するために最適な位置である上縁及び下縁において摩擦力を発揮させることができる。
【００４３】
なお、ガーター本体１１０の裏面に形成される摩擦層の数は２には限定されない。２以上の任意の数を選択することができる。例えば、摩擦層１２０と第二摩擦層３１０との中間に第三の摩擦層を形成することも可能である。
【００４４】
また、複数の摩擦層を形成する場合、各摩擦層の摩擦力（具体的には、各摩擦層を形成する素材の摩擦係数）を相互に異なる値にすることも可能である。
【００４５】
例えば、本実施形態に係るガーター３００のように、２個の摩擦層１２０、３１０を形成する場合、摩擦層１２０の摩擦力を第二摩擦層３１０の摩擦力よりも大きくなるように設定することができる。あるいは、３個の摩擦層を形成する場合には、上の摩擦層から順に摩擦力が大きくなるように各摩擦層の摩擦力を設定することも可能である。
【００４６】
（第四の実施形態）
図５は本考案の第四の実施形態に係るガーター４００の斜視図である。
【００４７】
本実施形態に係るガーター４００においては、ガーター本体１１０のうち、使用者の内股に接触する領域４１０は他の領域４２０より大きい強度を有するものとして形成されている。
【００４８】
例えば、ガーター本体１１０は単一の素材で形成されているとしても、領域４１０は領域４２０よりも厚く形成されている。
【００４９】
あるいは、領域４１０は領域４２０とは異なる素材で形成されており、領域４１０を形成する素材は領域４２０を形成する素材よりも大きな強度を有している。
【００５０】
あるいは、領域４１０は領域４２０とは異なる素材または同一の素材で形成されており、領域４１０は複数層の構造を有するものとして形成されている。
【００５１】
使用者の内股に接触する領域４１０は使用者の左右の内股が相互に擦れ合う領域であるので磨耗の度合いが大きい。このため、領域４１０を他の領域４２０よりも強度を大きく形成することにより、領域４１０の磨耗の度合いを小さくすることができる。
【００５２】
（第五の実施形態）
図６は本考案の第五の実施形態に係るガーター５００の斜視図である。
【００５３】
本実施形態に係るガーター５００においては、ガーター本体１１０の摩擦層１２０が形成されていない領域において、具体的には、ガーター本体１００の下縁の近傍において、孔５１０が形成されている。
【００５４】
孔５１０の周囲は、ボタンホールと同様に、糸で縫うことによる補強が施されている。
【００５５】
孔５１０には、例えば、チャーム５２０などの装飾品を着脱自在に取り付けることができる。
【００５６】
このように、ガーター本体１１０に孔５１０を形成することにより、孔５１０の他の物品を取り付けることができるので、ガーター５００そのものの商品価値を向上させることができる。
【００５７】
なお、ガーター本体１１０に形成される孔５１０の数は１に限定されるものではなく、複数個の孔５１０を形成することも可能である。
【００５８】
また、第二摩擦層３１０（図４参照）を形成する場合には、孔５１０を形成する位置は第二摩擦層３１０と重なる領域内であってもよい。
【符号の説明】
【００５９】
１００  本考案の第一の実施形態に係るガーター
１１０  ガーター本体
１２０  摩擦層
２００  本考案の第二の実施形態に係るガーター
３００  本考案の第三の実施形態に係るガーター
３１０  第二摩擦層
４００  本考案の第四の実施形態に係るガーター
５００  本考案の第五の実施形態に係るガーター
５１０  孔
５２０  チャーム
【図１】
0003188362.tif 000003
【図２】
0003188362.tif 000004
【図３】
0003188362.tif 000005
【図４】
0003188362.tif 000006
【図５】
0003188362.tif 000007
【図６】
0003188362.tif 000008